(57)【要約】【課題】ＬＥＤのＯＦＦ時に補助的な光を照射できるようにしつつ、ＬＥＤのＯＮ時にリフレクタの反射面からの反射光が弱くなるおそれを低減する。【解決手段】ＬＥＤ１ａ１と、ＬＥＤ１ａ１を覆うように配置された蛍光体１ａ２とを有するＬＥＤパッケージ１ａと、ＬＥＤ１ａ１および蛍光体１ａ２からの光を反射するための反射面１ｂ１を有するリフレクタ１ｂとを具備する照明装置において、蓄光材が配置されている部分１ｂ１ａと、蓄光材が配置されていない部分１ｂ１ｂとをリフレクタ１ｂの反射面１ｂ１に設けた。【選択図】図３
2007234632.tif 000002
【特許請求の範囲】
【請求項１】
ＬＥＤと、前記ＬＥＤを覆うように配置された蛍光体と、前記ＬＥＤおよび前記蛍光体からの光を反射するための反射面を有するリフレクタとを具備する照明装置において、蓄光材が配置されている部分と、蓄光材が配置されていない部分とを前記反射面に設けたことを特徴とする照明装置。
【請求項２】
蓄光材を前記反射面に網目状または点状に塗布したことを特徴とする請求項１に記載の照明装置。
【請求項３】
蓄光材を含む網目状のシートを前記反射面に貼り付けたことを特徴とする請求項１に記載の照明装置。
【請求項４】
穴を有するシートによって、蓄光材が塗布された前記リフレクタを覆ったことを特徴とする請求項１に記載の照明装置。
【請求項５】
蓄光材が添加された材料によって前記リフレクタを形成したことを特徴とする請求項１に記載の照明装置。
【請求項６】
前記ＬＥＤおよび前記蛍光体と前記蓄光材との間に伝熱部材を配置したことを特徴とする請求項１〜５のいずれか一項に記載の照明装置。
【請求項７】
前記ＬＥＤおよび前記蛍光体と前記蓄光材との間にヒートシンクを配置したことを特徴とする請求項６に記載の照明装置。
【発明の詳細な説明】
【技術分野】
【０００１】
本発明は、ＬＥＤを覆うように配置された蛍光体と、ＬＥＤおよび蛍光体からの光を反射するための反射面を有するリフレクタとを具備する照明装置に関し、特には、ＬＥＤのＯＦＦ時に補助的な光を照射できるようにしつつ、ＬＥＤのＯＮ時に反射面からの反射光が弱くなるおそれを低減することができる照明装置に関する。
【０００２】
詳細には、本発明は、省エネルギー、色再現性および高輝度化の３つを同時に達成することができる照明装置に関する。
【背景技術】
【０００３】
従来から、ＬＥＤ（ＬＥＤチップ）を覆うように配置された蛍光体と、ＬＥＤ（ＬＥＤチップ）からの光を反射するための反射面を有するリフレクタ（枠体）とを具備する照明装置（ＬＥＤデバイス）が知られている。この種の照明装置（ＬＥＤデバイス）の例としては、例えば特開２００４−１２８３９３号公報に記載されたものがある。
【０００４】
特開２００４−１２８３９３号公報に記載された照明装置（ＬＥＤデバイス）では、ＬＥＤ（ＬＥＤチップ）を覆っている透光性樹脂に蛍光体が混練されると共に、ＬＥＤ（ＬＥＤチップ）からの光を反射するための反射面上に蛍光体層が形成されている。
【０００５】
そのため、特開２００４−１２８３９３号公報に記載された照明装置（ＬＥＤデバイス）では、ＬＥＤ（ＬＥＤチップ）から放射された光のうち、反射面に到達することなく照射される光が、透光性樹脂に混練されている蛍光体によって波長変換されている。また、ＬＥＤ（ＬＥＤチップ）から放射された光のうち、反射面によって反射されて照射される光が、反射面上に形成された蛍光体層によって波長変換されている。
【０００６】
ところで、特開２００４−１２８３９３号公報に記載された照明装置（ＬＥＤデバイス）では、ＬＥＤ（ＬＥＤチップ）から放射された光が蛍光体によって波長変換され、それにより、色再現性および高輝度化が達成されているものの、特開２００４−１２８３９３号公報に記載された照明装置（ＬＥＤデバイス）には、蓄光機能が備えられていない。
【０００７】
そのため、特開２００４−１２８３９３号公報に記載された照明装置（ＬＥＤデバイス）では、光を照射し続けようとすると、ＬＥＤ（ＬＥＤチップ）をＯＮし続けなければならない。すなわち、特開２００４−１２８３９３号公報に記載された照明装置（ＬＥＤデバイス）では、ＬＥＤ（ＬＥＤチップ）のＯＦＦ時に補助的な光を照射することができない。
【０００８】
一方、特開２００３−１９７９７９号公報に記載された照明装置（発光素子）では、蓄光性（長残光特性）を有する蛍光体（蛍光物質）を含む被覆材によってＬＥＤ（ＬＥＤチップ）が覆われている。
【０００９】
詳細には、特開２００３−１９７９７９号公報に記載された照明装置（発光素子）では、ＬＥＤ（ＬＥＤチップ）のＯＮ時にＬＥＤ（ＬＥＤチップ）から放射された光の一部が蛍光体（蛍光物質）に蓄えられ、ＬＥＤ（ＬＥＤチップ）のＯＦＦ時には、蛍光体（蛍光物質）に蓄えられていた光が照射されている。
【００１０】
つまり、特開２００３−１９７９７９号公報に記載された照明装置（発光素子）によれば、ＬＥＤ（ＬＥＤチップ）のＯＮ時に照射される光と同等の光をＬＥＤ（ＬＥＤチップ）のＯＦＦ時に照射することができ、省エネルギー効果を達成することができる。
【００１１】
従って、特開２００４−１２８３９３号公報に記載された照明装置（ＬＥＤデバイス）に蓄光機能を備えるために、特開２００４−１２８３９３号公報に記載された蛍光体層の代わりに、特開２００３−１９７９７９号公報に記載された蓄光性（長残光特性）を有する蛍光体（蛍光物質）を含む被覆材を、ＬＥＤ（ＬＥＤチップ）からの光を反射するための反射面上に配置することが考えられる。
【００１２】
ところが、特開２００３−１９７９７９号公報に記載された照明装置（発光素子）の反射面の全面を、特開２００３−１９７９７９号公報に記載された蓄光性（長残光特性）を有する蛍光体（蛍光物質）を含む被覆材によって覆ってしまうと、ＬＥＤ（ＬＥＤチップ）のＯＦＦ時に補助的な光を照射することができるようになるものの、ＬＥＤ（ＬＥＤチップ）のＯＮ時に反射面からの反射光が弱くなるおそれが生じてしまう。
【００１３】
つまり、反射面の全面上に配置された蓄光性（長残光特性）を有する蛍光体（蛍光物質）を含む被覆材によって、反射面の反射率が低下するおそれが生じてしまう。
【００１４】
【特許文献１】特開２００４−１２８３９３号公報
【特許文献２】特開２００３−１９７９７９号公報
【発明の開示】
【発明が解決しようとする課題】
【００１５】
前記問題点に鑑み、本発明は、ＬＥＤのＯＦＦ時に補助的な光を照射できるようにしつつ、ＬＥＤのＯＮ時に反射面からの反射光が弱くなるおそれを低減することができる照明装置を提供することを目的とする。
【００１６】
詳細には、本発明は、省エネルギー、色再現性および高輝度化の３つを同時に達成することができる照明装置を提供することを目的とする。
【課題を解決するための手段】
【００１７】
請求項１に記載の発明によれば、ＬＥＤと、前記ＬＥＤを覆うように配置された蛍光体と、前記ＬＥＤおよび前記蛍光体からの光を反射するための反射面を有するリフレクタとを具備する照明装置において、蓄光材が配置されている部分と、蓄光材が配置されていない部分とを前記反射面に設けたことを特徴とする照明装置が提供される。
【００１８】
請求項２に記載の発明によれば、蓄光材を前記反射面に網目状または点状に塗布したことを特徴とする請求項１に記載の照明装置が提供される。
【００１９】
請求項３に記載の発明によれば、蓄光材を含む網目状のシートを前記反射面に貼り付けたことを特徴とする請求項１に記載の照明装置が提供される。
【００２０】
請求項４に記載の発明によれば、穴を有するシートによって、蓄光材が塗布された前記リフレクタを覆ったことを特徴とする請求項１に記載の照明装置が提供される。
【００２１】
請求項５に記載の発明によれば、蓄光材が添加された材料によって前記リフレクタを形成したことを特徴とする請求項１に記載の照明装置が提供される。
【００２２】
請求項６に記載の発明によれば、前記ＬＥＤおよび前記蛍光体と前記蓄光材との間に伝熱部材を配置したことを特徴とする請求項１〜５のいずれか一項に記載の照明装置が提供される。
【００２３】
請求項７に記載の発明によれば、前記ＬＥＤおよび前記蛍光体と前記蓄光材との間にヒートシンクを配置したことを特徴とする請求項６に記載の照明装置が提供される。
【発明の効果】
【００２４】
請求項１〜５に記載の照明装置では、ＬＥＤおよび蛍光体からの光を反射するための反射面に蓄光材が配置されている。そのため、請求項１〜５に記載の照明装置によれば、ＬＥＤのＯＮ時に蓄光材に蓄えられた光をＬＥＤのＯＦＦ時に照射することができる。それにより、ＬＥＤのＯＦＦ時に補助的な光を照射することができる。換言すれば、請求項１〜５に記載の照明装置によれば、ＬＥＤの消費電力を低減することができる。
【００２５】
好ましくは、請求項１〜５に記載の照明装置では、色再現性および高輝度を主目的として蛍光体が選択されている。そのため、請求項１〜５に記載の照明装置によれば、省エネルギー、色再現性および高輝度化の３つを同時に達成することができる。
【００２６】
更に、請求項１〜５に記載の照明装置では、蓄光材が配置されている部分と、蓄光材が配置されていない部分とが、反射面に設けられている。
【００２７】
好ましくは、請求項１〜５に記載の照明装置では、蓄光材が反射面に網目状または点状に塗布されている。
【００２８】
また、好ましくは、請求項１〜５に記載の照明装置では、蓄光材を含む網目状のシートが反射面に貼り付けられている。
【００２９】
あるいは、好ましくは、請求項１〜５に記載の照明装置では、蓄光材が塗布されたリフレクタが、穴を有するシートによって覆われている。
【００３０】
また、好ましくは、請求項１〜５に記載の照明装置では、蓄光材が添加された材料によってリフレクタが形成されている。更に好ましくは、蓄光材が添加された材料によってリフレクタが成形されている。
【００３１】
換言すれば、請求項１〜５に記載の照明装置では、蓄光材が反射面の全面に配置されるのではなく、蓄光材が配置されない部分が反射面に残されている。
【００３２】
そのため、請求項１〜５に記載の照明装置によれば、蓄光材が反射面の全面に配置されている場合よりも、反射面の反射率を高くすることができる。換言すれば、請求項１〜５に記載の照明装置によれば、ＬＥＤのＯＮ時に反射面からの反射光が弱くなるおそれを低減することができる。
【００３３】
すなわち、請求項１〜５に記載の照明装置によれば、ＬＥＤのＯＦＦ時に補助的な光を照射できるようにしつつ、ＬＥＤのＯＮ時に反射面からの反射光が弱くなるおそれを低減することができる。
【００３４】
請求項６及び７に記載の照明装置では、ＬＥＤおよび蛍光体と蓄光材との間に伝熱部材が配置されている。換言すれば、請求項６及び７に記載の照明装置では、ＬＥＤおよび蛍光体と蓄光材とが熱的に接続されている。好ましくは、請求項６及び７に記載の照明装置では、ＬＥＤおよび蛍光体と蓄光材との間にヒートシンクが配置されている。
【００３５】
そのため、請求項６及び７に記載の照明装置によれば、ＬＥＤが発生した熱によって蓄光材の温度を向上させることができ、それにより、蓄光材の発光強度を向上させることができる。
【発明を実施するための最良の形態】
【００３６】
以下、本発明の照明装置の第１の実施形態について説明する。図１は第１の実施形態の照明装置の一部を構成するＬＥＤモジュール１を示した図である。詳細には、図１（Ａ）は部分的に断面で示したＬＥＤモジュール１の左側面図、図１（Ｂ）はＬＥＤモジュール１の正面図、図１（Ｃ）はＬＥＤモジュール１を前側かつ左側かつ下側から見た斜視図、図１（Ｄ）はＬＥＤモジュール１の底面図である。
【００３７】
図１において、１ａはＬＥＤパッケージを示している。１ｂはＬＥＤパッケージ１ａから放射された光を下向き（図１（Ａ）および図１（Ｂ）の下側）に反射するための反射面を備えたリフレクタを示している。１ｃはＬＥＤパッケージ１ａからの直射光およびリフレクタ１ｂの反射面からの反射光を配光制御するためにリフレクタ１ｂに取り付けられたレンズを示している。
【００３８】
また、図１において、１ｄはＬＥＤパッケージ１ａおよびリフレクタ１ｂを支持し、かつ、ＬＥＤパッケージ１ａが発生した熱を放熱あるいは熱伝導するための熱インターフェース材を示している。１ｅは熱インターフェース材１ｄを支持するためのハウジングを示している。１ｅ１はハウジング１ｅの一部を構成しているフィンを示している。１ｆはＬＥＤパッケージ１ａ、リフレクタ１ｂ、レンズ１ｃおよび熱インターフェース材１ｄを覆うためのカバーを示している。２はＬＥＤモジュール１を取り付けるための取り付け部材を示している。
【００３９】
第１の実施形態の照明装置では、図１に示すように、ＬＥＤパッケージ１ａが発生した熱の一部が、熱インターフェース材１ｄから放熱せしめられる。また、ＬＥＤパッケージ１ａが発生した熱の一部が、熱インターフェース材１ｄを介してハウジング１ｅのフィン１ｅ１に熱伝導され、フィン１ｅ１から放熱せしめられる。更に、ＬＥＤパッケージ１ａが発生した熱の一部が、熱インターフェース材１ｄおよびハウジング１ｅを介して取り付け部材２に熱伝導され、取り付け部材２から放熱せしめられる。
【００４０】
第１の実施形態の照明装置では、図１に示すように、１個のＬＥＤモジュール１に３組のＬＥＤパッケージ１ａ、リフレクタ１ｂおよびレンズ１ｃが設けられているが、第２の実施形態の照明装置では、代わりに、３組以外の任意の組数のＬＥＤパッケージ１ａ、リフレクタ１ｂおよびレンズ１ｃを１個のＬＥＤモジュール１に設けることも可能である。
【００４１】
図２は図１（Ａ）に示したＬＥＤパッケージ１ａなどの拡大断面図である。第１の実施形態の照明装置では、図２に示すように、ＬＥＤ１ａ１と、それらのＬＥＤ１ａ１を覆うように配置された蛍光体１ａ２とによってＬＥＤパッケージ１ａが構成されている。詳細には、色再現性および高輝度を主目的として蛍光体が選択されている。更に詳細には、例えば青色光および紫外光によって励起され、発光する蛍光体が選択されている。
【００４２】
図３は図１（Ａ）に示したＬＥＤパッケージ１ａ、リフレクタ１ｂおよび熱インターフェース材１ｄの拡大図である。詳細には、図３（Ａ）はＬＥＤパッケージ１ａ、リフレクタ１ｂおよび熱インターフェース材１ｄを正面から見た拡大断面図である。図３（Ｂ）はそれらの底面図、つまり、それらを図３（Ａ）の下側から見た図である。
【００４３】
第１の実施形態の照明装置では、図３（Ａ）および図３（Ｂ）に示すように、リフレクタ１ｂの反射面１ｂ１に、蓄光材が配置されている部分１ｂ１ａと、蓄光材が配置されていない部分１ｂ１ｂとが設けられている。詳細には、リフレクタ１ｂの反射面１ｂ１に蓄光材を網目状に塗布することにより、蓄光材が配置されている部分１ｂ１ａが形成されている。更に、リフレクタ１ｂの下面（図３（Ａ）の下側の面）には、全面にわたって蓄光材が塗布されている。蓄光材としては、例えば長残光性、光輝度および信頼性を有する蛍光材料が使用される。具体的には、例えば希土類付活二価金属アルミン酸塩で構成されたもの、希土類付活二価金属ホウ酸置換アルミン酸塩で構成されたもの、Ｅｕ付活および希土類等共付活ケイ酸塩で構成されたもの、Ｅｕ付活希土類酸硫酸化物で構成されたもの等が、蓄光材として使用される。
【００４４】
更に、第１の実施形態の照明装置では、図３に示すように、ＬＥＤパッケージ１ａが発生した熱の一部が、熱インターフェース材１ｄおよびリフレクタ１ｂを介して、リフレクタ１ｂの反射面１ｂ１上の蓄光材、および、リフレクタ１ｂの下面上の蓄光材に熱伝導される。それにより、蓄光材が昇温せしめられ、蓄光材の発光強度が強められる。
【００４５】
また、第１の実施形態の照明装置では、図１〜図３に示すように、ＬＥＤ１ａ１のＯＮ時に、ＬＥＤ１ａ１および蛍光体１ａ２から放射された光の一部が、レンズ１ｃによって配光制御され、図１（Ａ）の下側に照射される。また、ＬＥＤ１ａ１のＯＮ時に、ＬＥＤ１ａ１および蛍光体１ａ２から放射された光の一部が、リフレクタ１ｂの反射面１ｂ１のうち、蓄光材が配置されていない部分１ｂ１ｂによって反射され、レンズ１ｃによって配光制御され、図１（Ａ）の下側に照射される。更に、ＬＥＤ１ａ１のＯＮ時に、ＬＥＤ１ａ１および蛍光体１ａ２から放射された光の一部、および、ＬＥＤモジュール１外からＬＥＤモジュール１内に進入した光（例えば太陽光、他の照明器具からの光など）の一部が、リフレクタ１ｂの反射面１ｂ１上の蓄光材、および、リフレクタ１ｂの下面上の蓄光材によって蓄えられる。
【００４６】
更に、第１の実施形態の照明装置では、図１〜図３に示すように、ＬＥＤ１ａ１のＯＦＦ時に、リフレクタ１ｂの反射面１ｂ１上の蓄光材が発した光が放射され、レンズ１ｃによって配光制御され、図１（Ａ）の下側に照射される。更に、ＬＥＤ１ａ１のＯＦＦ時に、リフレクタ１ｂの下面上の蓄光材が発した光が放射され、図１（Ａ）の下側に照射される。
【００４７】
詳細には、第１の実施形態の照明装置では、蓄光材の残光輝度を考慮してＬＥＤ１ａがパルス駆動され、ＬＥＤ１ａ１のＯＦＦ時に、蓄光材からの発光が補助的に使用される。それにより、省エネルギーが図られている。
【００４８】
更に詳細には、第１の実施形態の照明装置では、蓄光材の残光輝度、残光時間、および飽和輝度に達する時間が考慮され、ＬＥＤ１ａ１のＯＦＦ時に照明装置の使用者がＬＥＤ１ａ１の点滅感を感じない範囲内で、蓄光材の最大限の輝度が得られるように、ＬＥＤ１ａ１のＯＦＦ期間が設定されている。
【００４９】
図４は図１に示したＬＥＤモジュール１から照射される光の配光パターンを示した図である。図４の左側が、図１に示したＬＥＤモジュール１の後側（図１（Ｃ）の左下側）に相当し、図４の右側が、図１に示したＬＥＤモジュール１の前側（図１（Ｃ）の右上側）に相当し、図４の上側が、図１に示したＬＥＤモジュール１の右側（図１（Ｃ）の右下側）に相当し、図４の下側が、図１に示したＬＥＤモジュール１の左側（図１（Ｃ）の左上側）に相当している。
【００５０】
第１の実施形態の照明装置では、図１および図４に示すように、ＬＥＤモジュール１の左右方向（図１（Ａ）の手前−奥側方向、図１（Ｂ）の左右方向、図１（Ｃ）の左上−右下側方向、図１（Ｄ）の左右方向、図４の上下方向）の集光度合いが、ＬＥＤモジュール１の前後方向（図１（Ａ）の左右方向、図１（Ｂ）の手前−奥側方向、図１（Ｃ）の右上−左下側方向、図１（Ｄ）の上下方向、図４の左右方向）の集光度合いよりも小さくなるように、レンズ１ｃの集光特性が設定されている。
【００５１】
換言すれば、第１の実施形態の照明装置では、図４に示すように、ＬＥＤモジュール１から照射される光の配光パターンが、前後方向（図４の左右方向）よりも左右方向（図４の上下方向）に長くなるように設定されている。
【００５２】
図５および図６は図１に示したＬＥＤモジュール１が複数取り付けられた取り付け部材２、並びに、複数のＬＥＤモジュール１および取り付け部材２を覆うためのランプ傘３を示した図である。詳細には、図５（Ａ）は取り付け部材２およびランプ傘３の正面図、図５（Ｂ）は取り付け部材２およびランプ傘３の底面図、図６（Ａ）はランプ傘３の左側面図、図６（Ｂ）はランプ傘３の一部を透視して見た取り付け部材２の左側面図である。
【００５３】
第１の実施形態の照明装置では、図５（Ａ）および図５（Ｂ）に示すように、取り付け部材２が１８個の区画２−１，２−２，２−３，２−４，２−５，２−６，２−７，２−８，２−９，２−１０，２−１１，２−１２，２−１３，２−１４，２−１５，２−１６，２−１７，２−１８に分割され、それらの区画のうち、１４個の区画に対して、図１に示したＬＥＤモジュール１（１−１，１−２，１−３，１−４，１−６，１−７，１−８，１−９，１−１０，１−１２，１−１３，１−１５，１−１６，１−１８）が１４個取り付けられている。
【００５４】
詳細には、図５（Ａ）および図５（Ｂ）に示すように、取り付け部材２の区画２−１と、区画２−２と、区画２−３とが、２段階に屈曲せしめられ、凹状（詳細には、下側から見て凹状）に形成されている。その結果、区画２−１に取り付けられたＬＥＤモジュール１−１と、区画２−２に取り付けられたＬＥＤモジュール１−２と、区画２−３に取り付けられたＬＥＤモジュール１−３とが、異なる方向に指向せしめられている。
【００５５】
また、図５（Ａ）および図５（Ｂ）に示すように、取り付け部材２の区画２−４と、区画２−５と、区画２−６とが、２段階に屈曲せしめられ、凹状（詳細には、下側から見て凹状）に形成されている。その結果、区画２−４に取り付けられたＬＥＤモジュール１−４と、区画２−６に取り付けられたＬＥＤモジュール１−６とが、互いに異なる方向に指向せしめられている。更に、取り付け部材２の区画２−２に対して区画２−１，２−３を屈曲させる角度と、取り付け部材２の区画２−５に対して区画２−４，２−６を屈曲させる角度とが異なる値に設定されている。その結果、区画２−４に取り付けられたＬＥＤモジュール１−４、および、区画２−６に取り付けられたＬＥＤモジュール１−６は、ＬＥＤモジュール１−１，１−２，１−３とも異なる方向に指向せしめられている。
【００５６】
更に、図５（Ａ）および図５（Ｂ）に示すように、取り付け部材２の区画２−７と、区画２−８と、区画２−９とが、２段階に屈曲せしめられ、凹状（詳細には、下側から見て凹状）に形成されている。その結果、区画２−７に取り付けられたＬＥＤモジュール１−７と、区画２−８に取り付けられたＬＥＤモジュール１−８と、区画２−９に取り付けられたＬＥＤモジュール１−９とが、互いに異なる方向に指向せしめられている。また、図５（Ｂ）および図６（Ｂ）に示すように、取り付け部材２の区画２−５と、区画２−８とが、凸状（詳細には、下側から見て凸状）に屈曲せしめられている。その結果、区画２−７に取り付けられたＬＥＤモジュール１−７、区画２−８に取り付けられたＬＥＤモジュール１−８、および、区画２−９に取り付けられたＬＥＤモジュール１−９は、ＬＥＤモジュール１−１，１−２，１−３，１−４，１−６とも異なる方向に指向せしめられている。
【００５７】
また、図５（Ａ）および図５（Ｂ）に示すように、取り付け部材２の区画２−１０と、区画２−１１と、区画２−１２とが、２段階に屈曲せしめられ、凹状（詳細には、下側から見て凹状）に形成されている。その結果、区画２−１０に取り付けられたＬＥＤモジュール１−１０と、区画２−１２に取り付けられたＬＥＤモジュール１−１２とが、互いに異なる方向に指向せしめられている。更に、取り付け部材２の区画２−８に対して区画２−７，２−９を屈曲させる角度と、取り付け部材２の区画２−１１に対して区画２−１０，２−１２を屈曲させる角度とが異なる値に設定されている。その結果、区画２−１０に取り付けられたＬＥＤモジュール１−１０、および、区画２−１２に取り付けられたＬＥＤモジュール１−１２は、ＬＥＤモジュール１−１，１−２，１−３，１−４，１−６，１−７，１−８，１−９とも異なる方向に指向せしめられている。
【００５８】
更に、図５（Ａ）および図５（Ｂ）に示すように、取り付け部材２の区画２−１３と、区画２−１４と、区画２−１５とが、２段階に屈曲せしめられ、凹状（詳細には、下側から見て凹状）に形成されている。その結果、区画２−１３に取り付けられたＬＥＤモジュール１−１３と、区画２−１５に取り付けられたＬＥＤモジュール１−１５とが、互いに異なる方向に指向せしめられている。また、図５（Ｂ）および図６（Ｂ）に示すように、取り付け部材２の区画２−１１と、区画２−１４とが、凸状（詳細には、下側から見て凸状）に屈曲せしめられている。その結果、区画２−１３に取り付けられたＬＥＤモジュール１−１３、および、区画２−１５に取り付けられたＬＥＤモジュール１−１５は、ＬＥＤモジュール１−１，１−２，１−３，１−４，１−６，１−７，１−８，１−９，１−１０，１−１２とも異なる方向に指向せしめられている。
【００５９】
また、図５（Ａ）および図５（Ｂ）に示すように、取り付け部材２の区画２−１６と、区画２−１７と、区画２−１８とが、２段階に屈曲せしめられ、凹状（詳細には、下側から見て凹状）に形成されている。その結果、区画２−１６に取り付けられたＬＥＤモジュール１−１６と、区画２−１８に取り付けられたＬＥＤモジュール１−１８とが、互いに異なる方向に指向せしめられている。更に、取り付け部材２の区画２−１４に対して区画２−１３，２−１５を屈曲させる角度と、取り付け部材２の区画２−１７に対して区画２−１６，２−１８を屈曲させる角度とが異なる値に設定されている。その結果、区画２−１６に取り付けられたＬＥＤモジュール１−１６、および、区画２−１８に取り付けられたＬＥＤモジュール１−１８は、ＬＥＤモジュール１−１，１−２，１−３，１−４，１−６，１−７，１−８，１−９，１−１０，１−１２，１−１３，１−１５とも異なる方向に指向せしめられている。
【００６０】
図７は第１の実施形態の照明装置１０の全体図である。詳細には、図７（Ａ）は第１の実施形態の照明装置１０の正面図、図７（Ｂ）は第１の実施形態の照明装置１０の左側面図である。
【００６１】
図７において、４は図５および図６に示した取り付け部材２を支持するための支柱を示している。１−１Ｒは図５（Ａ）および図５（Ｂ）に示したＬＥＤモジュール１−１から照射される光の配光パターンの右縁部（図４の上縁部）を示している。１−３Ｌは図５（Ａ）および図５（Ｂ）に示したＬＥＤモジュール１−３から照射される光の配光パターンの左縁部（図４の下縁部）を示している。
【００６２】
また、図７において、Ｌ１−２は図５（Ａ）、図５（Ｂ）および図６（Ｂ）に示したＬＥＤモジュール１−２の主光軸線を示している。Ｌ１−８は図５（Ａ）、図５（Ｂ）および図６（Ｂ）に示したＬＥＤモジュール１−８の主光軸線を示している。θ１−２はＬＥＤモジュール１−２の主光軸線Ｌ１−２と水平面ＨＬ（図６（Ｂ）参照）とがなす角度を示している。θ１−８はＬＥＤモジュール１−８の主光軸線Ｌ１−８と水平面ＨＬ（図６（Ｂ）参照）とがなす角度を示している。１−２ＦはＬＥＤモジュール１−２から照射される光の配光パターンの前縁部（図４の右縁部）を示している。１−１６Ｂは図５（Ａ）および図５（Ｂ）に示したＬＥＤモジュール１−１６から照射される光の配光パターンの後縁部（図４の左縁部）を示している。
【００６３】
第１の実施形態の照明装置１０では、図５〜図７に示すように、取り付け部材２がランプ傘３の一部を介して支柱４に取り付けられているが、第３の実施形態の照明装置１０では、代わりに、取り付け部材２を支柱４に直接取り付けたり、あるいは、ランプ傘３以外の部材を介して取り付け部材２を支柱４に取り付けたりすることも可能である。
【００６４】
上述したように、第１の実施形態の照明装置１０では、ＬＥＤ１ａ１（図２参照）および蛍光体１ａ２からの光を反射するための反射面１ｂ１（図３参照）に蓄光材が配置されている。そのため、第１の実施形態の照明装置１０によれば、ＬＥＤ１ａ１のＯＮ時に蓄光材に蓄えられた光（詳細には、ＬＥＤ１ａ１および蛍光体１ａ２からの光、並びに、例えば太陽光、他の照明器具からの光のような照明装置１０外からの光）をＬＥＤ１ａ１のＯＦＦ時に照射することができる。それにより、ＬＥＤ１ａ１のＯＦＦ時に補助的な光を照射することができる。換言すれば、第１の実施形態の照明装置１０によれば、ＬＥＤ１ａ１の消費電力を低減することができる。
【００６５】
また、第１の実施形態の照明装置１０では、色再現性および高輝度を主目的として蛍光体１ａ２（図２参照）が選択されている。そのため、第１の実施形態の照明装置１０によれば、省エネルギー、色再現性および高輝度化の３つを同時に達成することができる。
【００６６】
更に、第１の実施形態の照明装置１０では、図３に示すように、蓄光材がリフレクタ１ｂの反射面１ｂ１に網目状に塗布され、その結果、蓄光材が配置されている部分１ｂ１ａと、蓄光材が配置されていない部分１ｂ１ｂとが、リフレクタ１ｂの反射面１ｂ１に設けられている。換言すれば、第１の実施形態の照明装置１０では、蓄光材が反射面１ｂ１の全面に配置されるのではなく、蓄光材が配置されない部分１ｂ１ｂが反射面１ｂ１に残されている。
【００６７】
そのため、第１の実施形態の照明装置１０によれば、蓄光材が反射面１ｂ１の全面に配置されている場合よりも、反射面１ｂ１の反射率を高くすることができる。換言すれば、第１の実施形態の照明装置１０によれば、ＬＥＤ１ａ１のＯＮ時に反射面１ｂ１からの反射光が弱くなるおそれを低減することができる。
【００６８】
すなわち、第１の実施形態の照明装置１０によれば、ＬＥＤ１ａ１のＯＦＦ時に補助的な光を照射できるようにしつつ、ＬＥＤ１ａ１のＯＮ時に反射面１ｂ１からの反射光が弱くなるおそれを低減することができる。
【００６９】
更に、第１の実施形態の照明装置１０では、図１〜図３に示すように、ＬＥＤ１ａ１および蛍光体１ａ２と蓄光材との間に伝熱機能を有する熱インターフェース材１ｄおよびリフレクタ１ｂが配置されている。換言すれば、第１の実施形態の照明装置１０では、ＬＥＤ１ａ１および蛍光体１ａ２と蓄光材とが熱的に接続されている。詳細には、第１の実施形態の照明装置１０では、ＬＥＤ１ａ１および蛍光体１ａ２と蓄光材との間に配置された熱インターフェース材１ｄおよびリフレクタ１ｂに、ヒートシンクとしての機能が備えられている。
【００７０】
そのため、第１の実施形態の照明装置１０によれば、ＬＥＤ１ａ１が発生した熱によって蓄光材の温度を向上させることができ、それにより、蓄光材の発光強度を向上させることができる。
【００７１】
図８は第４の実施形態の照明装置のＬＥＤパッケージ１ａ、リフレクタ１ｂおよび熱インターフェース材１ｄの拡大図である。詳細には、図８（Ａ）は第４の実施形態の照明装置のＬＥＤパッケージ１ａ、リフレクタ１ｂおよび熱インターフェース材１ｄを正面から見た拡大断面図である。図８（Ｂ）はそれらの底面図、つまり、それらを図８（Ａ）の下側から見た図である。
【００７２】
第４の実施形態の照明装置では、図８（Ａ）および図８（Ｂ）に示すように、リフレクタ１ｂの反射面１ｂ１に、蓄光材が配置されている部分１ｂ１ａと、蓄光材が配置されていない部分１ｂ１ｂとが設けられている。
【００７３】
詳細には、第１の実施形態の照明装置１０では、図３（Ａ）および図３（Ｂ）に示すように、リフレクタ１ｂの反射面１ｂ１に蓄光材を網目状に塗布することにより、蓄光材が配置されている部分１ｂ１ａが形成されているが、第４の実施形態の照明装置では、代わりに、図８（Ａ）および図８（Ｂ）に示すように、リフレクタ１ｂの反射面１ｂ１に蓄光材を点状に塗布することにより、蓄光材が配置されている部分１ｂ１ａが形成されている。
【００７４】
図９は第５の実施形態の照明装置のＬＥＤパッケージ１ａ、リフレクタ１ｂ、熱インターフェース材１ｄなどの拡大図である。詳細には、図９（Ａ）は第５の実施形態の照明装置のＬＥＤパッケージ１ａ、リフレクタ１ｂ、熱インターフェース材１ｄなどを正面から見た拡大断面図である。図９（Ｂ）はそれらの底面図、つまり、それらを図９（Ａ）の下側から見た図である。
【００７５】
第１の実施形態の照明装置１０では、図３（Ａ）および図３（Ｂ）に示すように、リフレクタ１ｂの反射面１ｂ１に蓄光材を網目状に塗布することにより、蓄光材が配置されている部分１ｂ１ａが形成されているが、第５の実施形態の照明装置では、代わりに、図９（Ａ）および図９（Ｂ）に示すように、蓄光材を含む網目状のシート１ｇをリフレクタ１ｂの反射面１ｂ１に貼り付けることにより、蓄光材が配置されている部分が形成されている。
【００７６】
その結果、第５の実施形態の照明装置では、第１の実施形態の照明装置１０と同様に、リフレクタ１ｂの反射面１ｂ１に、蓄光材が配置されている部分（１ｇ）と、蓄光材が配置されていない部分とが設けられている。
【００７７】
図１０は第６の実施形態の照明装置のＬＥＤパッケージ１ａ、リフレクタ１ｂ、熱インターフェース材１ｄなどの拡大図である。詳細には、図１０（Ａ）は第６の実施形態の照明装置のＬＥＤパッケージ１ａ、リフレクタ１ｂ、熱インターフェース材１ｄなどを正面から見た拡大断面図である。図１０（Ｂ）はそれらの底面図、つまり、それらを図１０（Ａ）の下側から見た図である。
【００７８】
第１の実施形態の照明装置１０では、図３（Ａ）および図３（Ｂ）に示すように、リフレクタ１ｂの反射面１ｂ１に蓄光材を網目状に塗布することにより、蓄光材が配置されている部分１ｂ１ａが形成されているが、第６の実施形態の照明装置では、代わりに、図１０（Ａ）および図１０（Ｂ）に示すように、穴１ｉ１を有するシート１ｉによって、蓄光材が塗布されたリフレクタ１ｂの内周面１ｂ２を覆うことにより、蓄光材が配置されている部分が形成されている。
【００７９】
詳細には、第６の実施形態の照明装置では、シート１ｉの穴１ｉ１を介して露出せしめられたリフレクタ１ｂの内周面１ｂ２上の蓄光材によって、ＬＥＤ１ａ１（図２参照）および蛍光体１ａ２からの光が蓄光される。また、シート１ｉの内周面のうち、穴１ｉ１の開いていない部分１ｉ２が、鏡面状になっており、ＬＥＤ１ａ１のＯＮ時にＬＥＤ１ａ１および蛍光体１ａ２からの光を反射する機能を有する。
【００８０】
その結果、第６の実施形態の照明装置では、第１の実施形態の照明装置１０と同様に、リフレクタ１ｂの反射面に、蓄光材が配置されている部分（１ｂ２，１ｉ１）と、蓄光材が配置されていない部分（１ｉ２）とが設けられている。
【００８１】
図１１は第７の実施形態の照明装置のリフレクタ１ｂの拡大図である。詳細には、図１１（Ａ）は第７の実施形態の照明装置のリフレクタ１ｂを正面から見た拡大断面図である。図１１（Ｂ）はその底面図、つまり、それを図１１（Ａ）の下側から見た図である。
【００８２】
第１の実施形態の照明装置１０では、図３（Ａ）および図３（Ｂ）に示すように、リフレクタ１ｂの反射面１ｂ１に蓄光材を網目状に塗布することにより、蓄光材が配置されている部分１ｂ１ａが形成されているが、第７の実施形態の照明装置では、代わりに、図１１（Ａ）および図１１（Ｂ）に示すように、蓄光材が添加された材料（蓄光材の含有率が０％より高く１００％より低い材料）によってリフレクタ１ｂを形成することにより、蓄光材が配置されている部分がリフレクタ１ｂの反射面１ｂ１に形成されている。詳細には、第１１の実施形態の照明装置では、蓄光材が添加された高反射率白色樹脂材料によってリフレクタ１ｂが成形されている。
【００８３】
その結果、第７の実施形態の照明装置では、第１の実施形態の照明装置１０と同様に、リフレクタ１ｂの反射面１ｂ１に、蓄光材が配置されている部分と、蓄光材が配置されていない部分とが設けられている。
【００８４】
第７の実施形態の照明装置によれば、蓄光材を塗布したり、貼ったりする必要なく、第１から第６の実施形態の照明装置と同様の効果を奏することができる。
【００８５】
以下、本発明の照明装置の第８の実施形態について説明する。図１２は第８の実施形態の照明装置の断面図である。図１２において、１０ａは図２に示したＬＥＤパッケージ１ａと同様に構成されたＬＥＤパッケージを示している。１０ｂはＬＥＤパッケージ１０ａから放射された光を上向き（図１２の上側）に反射するための反射面を備えたリフレクタを示している。１０ｃはＬＥＤパッケージ１０ａからの直射光およびリフレクタ１０ｂの反射面からの反射光を配光制御するためにリフレクタ１０ｂに取り付けられたレンズを示している。
【００８６】
また、図１２において、１０ｄはＬＥＤパッケージ１０ａが発生した熱を放熱あるいは熱伝導するための熱インターフェース材を示している。１０ｅはリフレクタ１０ｂおよび熱インターフェース材１０ｄを支持するためのハウジングを示している。
【００８７】
第８の実施形態の照明装置では、図１２に示すように、ＬＥＤパッケージ１０ａが発生した熱の一部が、熱インターフェース材１０ｄから放熱せしめられる。また、ＬＥＤパッケージ１０ａが発生した熱の一部が、熱インターフェース材１０ｄを介してハウジング１０ｅに熱伝導され、ハウジング１０ｅの表面から放熱せしめられる。
【００８８】
図１３は図１２に示したリフレクタ１０ｂの部品図である。詳細には、図１３（Ａ）はリフレクタ１０ｂの平面図、図１３（Ｂ）はリフレクタ１０ｂの断面図である。
【００８９】
第８の実施形態の照明装置では、図１３（Ａ）および図１３（Ｂ）に示すように、リフレクタ１０ｂの反射面１０ｂ１に、蓄光材が配置されている部分１０ｂ１ａと、蓄光材が配置されていない部分１０ｂ１ｂとが設けられている。詳細には、リフレクタ１０ｂの反射面１０ｂ１に蓄光材を網目状に塗布することにより、蓄光材が配置されている部分１０ｂ１ａが形成されている。更に、リフレクタ１０ｂの上面（図１３（Ｂ）の上側の面）には、全面にわたって蓄光材が塗布されている。蓄光材としては、例えば長残光性、光輝度および信頼性を有する蛍光材料が使用される。具体的には、例えば希土類付活二価金属アルミン酸塩で構成されたもの、希土類付活二価金属ホウ酸置換アルミン酸塩で構成されたもの、Ｅｕ付活および希土類等共付活ケイ酸塩で構成されたもの、Ｅｕ付活希土類酸硫酸化物で構成されたもの等が、蓄光材として使用される。
【００９０】
更に、第８の実施形態の照明装置では、図１２に示すように、ＬＥＤパッケージ１０ａが発生した熱の一部が、熱インターフェース材１０ｄ、ハウジング１０ｅおよびリフレクタ１０ｂを介して、リフレクタ１０ｂの反射面１０ｂ１上の蓄光材、および、リフレクタ１０ｂの上面上の蓄光材に熱伝導される。それにより、蓄光材が昇温せしめられ、蓄光材の発光強度が強められる。
【００９１】
また、第８の実施形態の照明装置では、図１２に示すように、ＬＥＤのＯＮ時に、ＬＥＤおよび蛍光体から放射された光の一部が、レンズ１０ｃによって配光制御され、図１２の上側に照射される。また、ＬＥＤのＯＮ時に、ＬＥＤおよび蛍光体から放射された光の一部が、リフレクタ１０ｂの反射面１０ｂ１のうち、蓄光材が配置されていない部分１０ｂ１ｂによって反射され、レンズ１０ｃによって配光制御され、図１２の上側に照射される。更に、ＬＥＤのＯＮ時に、ＬＥＤおよび蛍光体から放射された光の一部、および、照明装置外から照明装置内に進入した光の一部が、リフレクタ１０ｂの反射面１０ｂ１上の蓄光材、および、リフレクタ１０ｂの上面上の蓄光材によって蓄えられる。
【００９２】
更に、第８の実施形態の照明装置では、図１２に示すように、ＬＥＤのＯＦＦ時に、リフレクタ１０ｂの反射面１０ｂ１上の蓄光材が発した光が放射され、レンズ１０ｃによって配光制御され、図１２の上側に照射される。更に、ＬＥＤのＯＦＦ時に、リフレクタ１０ｂの上面上の蓄光材が発した光が放射され、図１２の上側に照射される。
【００９３】
詳細には、第８の実施形態の照明装置では、蓄光材の残光輝度を考慮してＬＥＤがパルス駆動され、ＬＥＤのＯＦＦ時に、蓄光材からの発光が補助的に使用される。それにより、省エネルギーが図られている。
【００９４】
更に詳細には、第８の実施形態の照明装置では、蓄光材の残光輝度、残光時間、および飽和輝度に達する時間が考慮され、ＬＥＤのＯＦＦ時に照明装置の使用者がＬＥＤの点滅感を感じない範囲内で、蓄光材の最大限の輝度が得られるように、ＬＥＤのＯＦＦ期間が設定されている。
【００９５】
第８の実施形態の照明装置では、図１２および図１３に示すように、リフレクタ１０ｂの反射面１０ｂ１に蓄光材を網目状に塗布することにより、蓄光材が配置されている部分１０ｂ１ａが形成されているが、第９の実施形態の照明装置では、代わりに、リフレクタの反射面に蓄光材を点状に塗布したり、蓄光材を含む網目状のシートをリフレクタに貼り付けたり、穴を有するシートによって、蓄光材が塗布された反射面を覆ったり、蓄光材が添加された材料によってリフレクタを形成したりすることにより、蓄光材が配置されている部分をリフレクタに形成することも可能である。
【００９６】
以下、本発明の照明装置の第１０の実施形態について説明する。図１４は第１０の実施形態の照明装置の断面図である。図１４において、２０ａは図２に示したＬＥＤパッケージ１ａと同様に構成されたＬＥＤパッケージを示している。２０ｂはＬＥＤパッケージ２０ａからの光を上向き（図１４の上側）に反射するための反射面を備えたリフレクタを示している。２０ｃはＬＥＤパッケージ２０ａからの直射光およびリフレクタ２０ｂの反射面からの反射光を配光制御するためにリフレクタ２０ｂに取り付けられたレンズを示している。２０ｃ１はレンズ２０ｃの上面を示しており、２０ｃ２はレンズ２０ｃの下面を示している。
【００９７】
また、図１４において、２０ｄはＬＥＤパッケージ２０ａが発生した熱を放熱あるいは熱伝導するための第１熱インターフェース材を示している。２０ｊはＬＥＤパッケージ２０ａが発生した熱を放熱あるいは熱伝導するための第２熱インターフェース材を示している。２０ｅはリフレクタ２０ｂおよび第２熱インターフェース材２０ｊを支持するためのハウジングを示している。２０ｅ１はハウジング２０ｅの一部を構成しているフィンを示している。２０ｋはＬＥＤパッケージ２０ａのＬＥＤに電力を供給するためのフレキシブル基板を示している。
【００９８】
第１０の実施形態の照明装置では、図１４に示すように、ＬＥＤパッケージ２０ａが発生した熱の一部が、第１熱インターフェース材２０ｄから放熱せしめられる。また、ＬＥＤパッケージ２０ａが発生した熱の一部が、第１熱インターフェース材２０ｄを介して第２熱インターフェース材２０ｊに熱伝導され、第２熱インターフェース材２０ｊから放熱せしめられる。また、ＬＥＤパッケージ２０ａが発生した熱の一部が、第１熱インターフェース材２０ｄおよび第２熱インターフェース材２０ｊを介してハウジング２０ｅのフィン２０ｅ１に熱伝導され、フィン２０ｅ１から放熱せしめられる。
【００９９】
図１５は図１４に示したリフレクタ２０ｂの部品図である。詳細には、図１５はリフレクタ２０ｂの平面図である。図１５において、２０ｂ２は第１熱インターフェース材２０ｄを収容するための穴である。
【０１００】
第１０の実施形態の照明装置では、図１５に示すように、リフレクタ２０ｂの反射面２０ｂ１に、蓄光材が配置されている部分２０ｂ１ａと、蓄光材が配置されていない部分２０ｂ１ｂとが設けられている。詳細には、リフレクタ２０ｂの反射面２０ｂ１に蓄光材を網目状に塗布することにより、蓄光材が配置されている部分２０ｂ１ａが形成されている。蓄光材としては、例えば長残光性、光輝度および信頼性を有する蛍光材料が使用される。具体的には、例えば希土類付活二価金属アルミン酸塩で構成されたもの、希土類付活二価金属ホウ酸置換アルミン酸塩で構成されたもの、Ｅｕ付活および希土類等共付活ケイ酸塩で構成されたもの、Ｅｕ付活希土類酸硫酸化物で構成されたもの等が、蓄光材として使用される。
【０１０１】
更に、第１０の実施形態の照明装置では、図１４に示すように、ＬＥＤパッケージ２０ａが発生した熱の一部が、第１熱インターフェース材２０ｄおよびリフレクタ２０ｂを介して、リフレクタ２０ｂの反射面２０ｂ１上の蓄光材に熱伝導される。それにより、蓄光材が昇温せしめられ、蓄光材の発光強度が強められる。
【０１０２】
また、第１０の実施形態の照明装置では、図１４および図１５に示すように、ＬＥＤのＯＮ時に、ＬＥＤおよび蛍光体から放射された光の一部が、レンズ２０ｃによって配光制御され、図１４の上側に照射される。また、ＬＥＤのＯＮ時に、ＬＥＤおよび蛍光体から放射された光の一部が、レンズ２０ｃの下面２０ｃ２によって反射され、次いで、リフレクタ２０ｂの反射面２０ｂ１のうち、蓄光材が配置されていない部分２０ｂ１ｂによって反射され、次いで、レンズ２０ｃによって配光制御され、図１４の上側に照射される。更に、ＬＥＤのＯＮ時に、ＬＥＤおよび蛍光体から放射された光の一部、および、照明装置外から照明装置内に進入した光の一部が、リフレクタ２０ｂの反射面２０ｂ１上の蓄光材によって蓄えられる。
【０１０３】
更に、第１０の実施形態の照明装置では、図１４および図１５に示すように、ＬＥＤのＯＦＦ時に、リフレクタ２０ｂの反射面２０ｂ１上の蓄光材が発した光が放射され、レンズ２０ｃによって配光制御され、図１４の上側に照射される。
【０１０４】
詳細には、第１０の実施形態の照明装置では、蓄光材の残光輝度を考慮してＬＥＤがパルス駆動され、ＬＥＤのＯＦＦ時に、蓄光材からの発光が補助的に使用される。それにより、省エネルギーが図られている。
【０１０５】
更に詳細には、第１０の実施形態の照明装置では、蓄光材の残光輝度、残光時間、および飽和輝度に達する時間が考慮され、ＬＥＤのＯＦＦ時に照明装置の使用者がＬＥＤの点滅感を感じない範囲内で、蓄光材の最大限の輝度が得られるように、ＬＥＤのＯＦＦ期間が設定されている。
【０１０６】
第１０の実施形態の照明装置では、図１５に示すように、リフレクタ２０ｂの反射面２０ｂ１に蓄光材を網目状に塗布することにより、蓄光材が配置されている部分２０ｂ１ａが形成されているが、第１１の実施形態の照明装置では、代わりに、リフレクタの反射面に蓄光材を点状に塗布したり、蓄光材を含む網目状のシートをリフレクタに貼り付けたり、穴を有するシートによって、蓄光材が塗布された反射面を覆ったり、蓄光材が添加された材料によってリフレクタを形成したりすることにより、蓄光材が配置されている部分をリフレクタに形成することも可能である。
【０１０７】
第１２の実施形態では、上述した第１から第１１の実施形態を適宜組合わせることも可能である。
【産業上の利用可能性】
【０１０８】
本発明の照明装置は、例えば道路用照明、街路灯、室内用照明などに適用可能である。
【図面の簡単な説明】
【０１０９】
【図１】第１の実施形態の照明装置の一部を構成するＬＥＤモジュール１を示した図である。
【図２】図１（Ａ）に示したＬＥＤパッケージ１ａなどの拡大断面図である。
【図３】図１（Ａ）に示したＬＥＤパッケージ１ａ、リフレクタ１ｂおよび熱インターフェース材１ｄの拡大図である。
【図４】図１に示したＬＥＤモジュール１から照射される光の配光パターンを示した図である。
【図５】図１に示したＬＥＤモジュール１が複数取り付けられた取り付け部材２、並びに、複数のＬＥＤモジュール１および取り付け部材２を覆うためのランプ傘３を示した図である。
【図６】図１に示したＬＥＤモジュール１が複数取り付けられた取り付け部材２、並びに、複数のＬＥＤモジュール１および取り付け部材２を覆うためのランプ傘３を示した図である。
【図７】第１の実施形態の照明装置１０の全体図である。
【図８】第４の実施形態の照明装置のＬＥＤパッケージ１ａ、リフレクタ１ｂおよび熱インターフェース材１ｄの拡大図である。
【図９】第５の実施形態の照明装置のＬＥＤパッケージ１ａ、リフレクタ１ｂ、熱インターフェース材１ｄなどの拡大図である。
【図１０】第６の実施形態の照明装置のＬＥＤパッケージ１ａ、リフレクタ１ｂ、熱インターフェース材１ｄなどの拡大図である。
【図１１】第７の実施形態の照明装置のリフレクタ１ｂの拡大図である。
【図１２】第８の実施形態の照明装置の断面図である。
【図１３】図１２に示したリフレクタ１０ｂの部品図である。
【図１４】第１０の実施形態の照明装置の断面図である。
【図１５】図１４に示したリフレクタ２０ｂの部品図である。
【符号の説明】
【０１１０】
１            ＬＥＤモジュール
１ａ          ＬＥＤパッケージ
１ａ１        ＬＥＤ
１ａ２        蛍光体
１ｂ          リフレクタ
１ｂ１        反射面
１ｂ１ａ      蓄光材が配置されている部分
１ｂ１ｂ      蓄光材が配置されていない部分
１ｃ          レンズ
１ｄ          熱インターフェース材
１ｅ          ハウジング
１ｅ１        フィン
１ｆ          カバー
２            取り付け部材
３            ランプ傘
４            支柱
１０          照明装置
【図１】
2007234632.tif 000003
【図２】
2007234632.tif 000004
【図３】
2007234632.tif 000005
【図４】
2007234632.tif 000006
【図５】
2007234632.tif 000007
【図６】
2007234632.tif 000008
【図７】
2007234632.tif 000009
【図８】
2007234632.tif 000010
【図９】
2007234632.tif 000011
【図１０】
2007234632.tif 000012
【図１１】
2007234632.tif 000013
【図１２】
2007234632.tif 000014
【図１３】
2007234632.tif 000015
【図１４】
2007234632.tif 000016
【図１５】
2007234632.tif 000017